(57)【要約】【課題】放送局側で行われる番組視聴規制とは別に、ユーザの意思に応じた番組視聴規制を実行できるデジタル放送受信装置を提供する。【解決手段】番組情報メモリ２２は、放送局から放送される番組について、放送局側で予め設定されたパレンタル値及びユーザが任意に設定するセルフパレンタル値を含む番組情報を記憶する。ユーザによって特定番組の視聴が指示された場合、番組情報管理部２１が、特定番組の番組情報を番組情報メモリ２２から読み出す。パレンタル判定部２４は、特定番組の番組情報（パレンタル値及びセルフパレンタル値）と、装置に予め設定される基準値とに基づいて、この特定番組が視聴制限された番組であるか否かを判定する。制御部２０は、判定結果に従って、特定番組の視聴の許可／不許可を関係各部に指示する。【選択図】　　　　図１
2004007514.tif 000002
【特許請求の範囲】
【請求項１】
番組と、放送局で設定された番組の視聴規制を指示するパレンタル情報とが、少なくとも多重されたデジタル放送信号を、放送局から受信して処理するデジタル放送受信装置であって、
デジタル放送信号を受信する受信部と、
前記受信されたデジタル放送信号から番組及びパレンタル情報を復元する復元部と、
ユーザが任意に設定した番組の視聴規制を指示するセルフパレンタル情報を、ユーザ入力によって番組毎に取得するユーザ入力部と、
前記パレンタル情報と前記セルフパレンタル情報とを含む番組情報を、現在又は今後放送される少なくとも一部の番組について、各番組に対応させて予め記憶する情報記憶部と、
ユーザによって装置に予め設定された基準情報と前記番組情報とに基づいて、番組毎に視聴可否を判断するパレンタル制御部と、
前記パレンタル制御部の判断に従って、番組の視聴／非視聴の処理を実行する番組処理部とを備え、
ユーザから与えられる受信番組の視聴指示に応じて、
前記パレンタル制御部は、前記受信番組の番組情報を前記情報記憶部から取得し、取得した当該番組情報が前記基準情報を満足するか否かによって、前記受信番組の視聴可否を判断し、
前記番組処理部は、前記パレンタル制御部における視聴可能の判断に従って、復元された前記受信番組の視聴処理を実行することを特徴とする、デジタル放送受信装置。
【請求項２】
前記パレンタル制御部は、前記セルフパレンタル情報が前記基準情報を満足すれば、前記受信番組を視聴可能と判断することを特徴とする、請求項１に記載のデジタル放送受信装置。
【請求項３】
前記パレンタル制御部は、前記セルフパレンタル情報が前記基準情報を満足しない場合、前記パレンタル情報が前記基準情報を満足すれば、前記受信番組を視聴可能と判断することを特徴とする、請求項２に記載のデジタル放送受信装置。
【請求項４】
前記パレンタル制御部は、
前記パレンタル情報が前記基準情報を満足すれば、前記受信番組を視聴可能と判断し、
前記パレンタル情報が前記基準情報を満足しない場合、前記セルフパレンタル情報が前記基準情報を満足すれば、前記受信番組を視聴可能と判断することを特徴とする、請求項１に記載のデジタル放送受信装置。
【請求項５】
前記パレンタル制御部は、前記セルフパレンタル情報が前記基準情報を満足しない場合、所定のパスワードの入力をユーザに要求し、正しいパスワードが入力されれば、前記受信番組を視聴可能と判断することを特徴とする、請求項２に記載のデジタル放送受信装置。
【請求項６】
前記パレンタル制御部は、前記パレンタル情報が前記基準情報を満足しない場合、所定のパスワードの入力をユーザに要求し、正しいパスワードが入力されれば、前記受信番組を視聴可能と判断することを特徴とする、請求項３に記載のデジタル放送受信装置。
【請求項７】
前記パレンタル制御部は、
前記パレンタル情報が前記基準情報を満足しない場合、所定のパスワードの入力をユーザに要求し、正しいパスワードが入力されれば、前記受信番組を視聴可能と判断し、
前記正しいパスワードが入力されず、かつ前記セルフパレンタル情報が前記基準情報を満足しない場合、所定の他のパスワードの入力をユーザに要求し、正しい他のパスワードが入力されれば、前記受信番組を視聴可能と判断することを特徴とする、請求項４に記載のデジタル放送受信装置。
【請求項８】
前記パレンタル制御部は、前記パレンタル情報及び前記セルフパレンタル情報の両方が設定されている場合、所定の２種類のパスワードの入力をユーザに要求し、正しい２種類のパスワードがそれぞれ入力されれば、前記受信番組を視聴可能と判断することを特徴とする、請求項１に記載のデジタル放送受信装置。
【請求項９】
前記セルフパレンタル情報及び前記基準情報は、視聴を可能とする年齢に基づく年齢値であることを特徴とする、請求項２に記載のデジタル放送受信装置。
【請求項１０】
前記パレンタル情報、前記セルフパレンタル情報及び前記基準情報は、視聴を可能とする年齢に基づく年齢値であることを特徴とする、請求項３に記載のデジタル放送受信装置。
【請求項１１】
前記パレンタル情報、前記セルフパレンタル情報及び前記基準情報は、視聴を可能とする年齢に基づく年齢値であることを特徴とする、請求項４に記載のデジタル放送受信装置。
【請求項１２】
ユーザから与えられる受信番組の録画指示に応じて、前記受信部が受信する番組を、前記情報記憶部に予め記憶された当該番組に関する番組情報と共に記録媒体に記録し、また、ユーザから与えられる記録番組の再生指示に応じて、当該記録番組の番組情報を記録媒体から再生し、前記パレンタル制御部における視聴可能の判断に従って記録媒体から当該記録番組を再生する番組録画再生部をさらに備える、請求項１に記載のデジタル放送受信装置。
【請求項１３】
前記番組録画再生部は、番組及び番組情報を、可搬型の記録媒体へ記録及び可搬型の記録媒体から再生することを特徴とする、請求項１２に記載のデジタル放送受信装置。
【請求項１４】
前記番組録画再生部は、少なくとも番組と番組情報とを多重化したパーシャルトランスポートストリームを記録媒体に記録することを特徴とする、請求項１２に記載のデジタル放送受信装置。
【請求項１５】
前記番組録画再生部は、前記パレンタル情報及び前記セルフパレンタル情報を、前記パーシャルトランスポートストリームで規定されているＳＩＴ又はＰＭＴの少なくとも１つに記述することを特徴とする、請求項１４に記載のデジタル放送受信装置。
【請求項１６】
前記番組録画再生部は、記録媒体上の前記パーシャルトランスポートストリームが記録されるデータ領域を管理するためのヘッダ領域に、前記パレンタル情報及び前記セルフパレンタル情報をさらに記録することを特徴とする、請求項１５に記載のデジタル放送受信装置。
【請求項１７】
前記番組録画再生部は、記録媒体上の前記パーシャルトランスポートストリームが記録されるデータ領域を管理するためのヘッダ領域に、前記パレンタル情報及び前記セルフパレンタル情報を求めるための演算式を記録することを特徴とする、請求項１４に記載のデジタル放送受信装置。
【請求項１８】
ユーザから与えられる記録媒体に記録された特定番組の再生指示に応じて、
前記番組録画再生部は、記録媒体から前記特定番組の番組情報を再生し、
前記パレンタル制御部は、前記再生された番組情報を前記番組録画再生部から取得し、当該番組情報に基づいて前記特定番組の視聴可否を判断し、
前記番組録画再生部は、前記パレンタル制御部における視聴可能の判断に従って、記録媒体から前記特定番組を再生し、
前記番組処理部は、前記番組録画再生部で再生された前記特定番組の視聴処理を実行することを特徴とする、請求項１２に記載のデジタル放送受信装置。
【請求項１９】
前記ユーザ入力部は、ユーザが設定した番組の検索条件を、ユーザ入力によってさらに取得し、
ユーザから与えられる記録媒体に記録された番組の検索指示に応じて、
前記番組録画再生部は、記録されている全ての番組に関する番組情報を記録媒体から再生し、
前記パレンタル制御部は、前記再生された全ての番組情報を前記番組録画再生部から取得し、当該全ての番組情報に基づいて番組情報が前記検索条件に適合する番組を検索することを特徴とする、請求項１２に記載のデジタル放送受信装置。
【請求項２０】
前記ユーザ入力部は、ユーザが設定した番組の検索条件を、ユーザ入力によってさらに取得し、
ユーザから与えられる記録媒体に記録された番組の検索再生指示に応じて、
前記番組録画再生部は、記録されている全ての番組に関する番組情報を記録媒体から再生し、
前記パレンタル制御部は、前記再生された全ての番組情報を前記番組録画再生部から取得し、当該全ての番組情報に基づいて番組情報が前記検索条件に適合する番組を検索し、
前記番組録画再生部は、前記パレンタル制御部で検索された番組を記録媒体から再生し、
前記番組処理部は、前記番組録画再生部で再生された番組の視聴処理を実行することを特徴とする、請求項１２に記載のデジタル放送受信装置。
【請求項２１】
前記パレンタル制御部は、前記再生された番組の前記セルフパレンタル情報が前記基準情報を満足すれば、当該再生された番組を視聴可能と判断することを特徴とする、請求項１８に記載のデジタル放送受信装置。
【請求項２２】
前記パレンタル制御部は、前記セルフパレンタル情報が前記基準情報を満足しない場合、所定のパスワードの入力をユーザに要求し、正しいパスワードが入力されれば、前記再生された番組を視聴可能と判断することを特徴とする、請求項２１に記載のデジタル放送受信装置。
【請求項２３】
前記パレンタル制御部は、前記検索した番組のうち前記セルフパレンタル情報が前記基準情報を満足しない番組を除外することを特徴とする、請求項１９に記載のデジタル放送受信装置。
【請求項２４】
前記パレンタル制御部は、前記セルフパレンタル情報が前記基準情報を満足しない場合、所定のパスワードの入力をユーザに要求し、正しいパスワードが入力されれば、番組を除外しないことを特徴とする、請求項２３に記載のデジタル放送受信装置。
【請求項２５】
前記パレンタル制御部は、前記検索した番組のうち前記セルフパレンタル情報が前記基準情報を満足しない番組を除外することを特徴とする、請求項２０に記載のデジタル放送受信装置。
【請求項２６】
前記パレンタル制御部は、前記セルフパレンタル情報が前記基準情報を満足しない場合、所定のパスワードの入力をユーザに要求し、正しいパスワードが入力されれば、番組を除外しないことを特徴とする、請求項２５に記載のデジタル放送受信装置。
【請求項２７】
前記セルフパレンタル情報及び前記基準情報は、視聴を可能とする年齢に基づく年齢値であることを特徴とする、請求項２１に記載のデジタル放送受信装置。
【請求項２８】
前記セルフパレンタル情報、前記基準情報及び前記検索条件は、視聴を可能とする年齢に基づく年齢値であることを特徴とする、請求項２３に記載のデジタル放送受信装置。
【請求項２９】
前記セルフパレンタル情報、前記基準情報及び前記検索条件は、視聴を可能とする年齢に基づく年齢値であることを特徴とする、請求項２５に記載のデジタル放送受信装置。
【請求項３０】
前記ユーザ入力部は、ユーザが設定した番組内容を示す特定の情報を、ユーザ入力によってさらに取得し、
前記情報記憶部は、前記番組情報に前記特定の情報を含めて記憶し、
前記番組録画再生部は、前記特定の情報を含んだ番組情報を記録媒体に記録することを特徴とする、請求項１２に記載のデジタル放送受信装置。
【請求項３１】
前記ユーザ入力部は、ユーザが設定した番組の検索条件及び特定条件を、ユーザ入力によってさらに取得し、
ユーザから与えられる記録媒体に記録された番組の検索指示に応じて、
前記番組録画再生部は、記録されている全ての番組に関する番組情報を記録媒体から再生し、
前記パレンタル制御部は、前記再生された全ての番組情報を前記番組録画再生部から取得し、当該全ての番組情報に基づいて番組情報が前記検索条件及び前記特定条件に適合する番組を検索することを特徴とする、請求項３０に記載のデジタル放送受信装置。
【請求項３２】
前記パレンタル制御部は、前記特定の情報が前記特定条件を満足し、かつ前記セルフパレンタル情報が前記基準情報を満足する番組を検索することを特徴とする、請求項３１に記載のデジタル放送受信装置。
【請求項３３】
前記パレンタル制御部は、前記セルフパレンタル情報が前記基準情報を満足しない場合、所定のパスワードの入力をユーザに要求し、正しいパスワードが入力されれば、番組を検索対象とすることを特徴とする、請求項３２に記載のデジタル放送受信装置。
【請求項３４】
前記番組録画再生部は、少なくとも番組と番組情報とを多重化したパーシャルトランスポートストリームを記録媒体に記録することを特徴とする、請求項３０に記載のデジタル放送受信装置。
【請求項３５】
前記番組録画再生部は、前記パレンタル情報及び前記セルフパレンタル情報を、前記パーシャルトランスポートストリームで規定されているＳＩＴ又はＰＭＴの少なくとも１つに記述することを特徴とする、請求項３４に記載のデジタル放送受信装置。
【請求項３６】
前記特定の情報が、前記パレンタル情報を記述する領域のうち未使用ビットを利用して予め定義されることを特徴とする、請求項３５に記載のデジタル放送受信装置。
【請求項３７】
前記受信部が、番組がキャリアに重畳されたアナログ放送信号を放送局から受信する機能を、前記復元部が、アナログ放送信号をデジタル信号に変換処理する機能を、さらに備え、
前記情報記憶部は、前記ユーザ入力部から取得した前記セルフパレンタル情報を、現在又は今後放送される少なくとも一部のアナログ番組に対応させて予め記憶し、
前記パレンタル制御部は、ユーザから与えられるアナログ放送番組の視聴指示に応じて、当該アナログ放送番組に関する前記セルフパレンタル情報を前記情報記憶部から取得し、当該セルフパレンタル情報に基づいて当該アナログ放送番組の視聴可否を判断し、
前記番組処理部は、前記パレンタル制御部における視聴可能の判断に従って、前記アナログ放送番組の視聴処理を実行することを特徴とする、請求項１に記載のデジタル放送受信装置。
【発明の詳細な説明】
【０００１】
【発明の属する技術分野】
本発明は、デジタル放送受信装置に関し、より特定的には、放送される番組の視聴を制限できるパレンタル制御機能を有したデジタル放送受信装置に関する。
【０００２】
【従来の技術】
映像や音声等の各種情報信号をデジタル化して信号処理する技術がめざましく進歩し、これに伴い、既存のアナログ放送システムに代わるデジタル放送システムの開発が盛んに行われている。このようなデジタル放送システムでは、映像や音声等のコンテンツ（以下、番組と記す）に加えて、デジタル放送におけるサービス情報や番組情報を含むＳＩ（Ｓｅｒｖｉｃｅ　Ｉｎｆｏｒｍａｔｉｏｎ）と呼ばれる番組配列情報が、多重化されて放送される。
【０００３】
この番組配列情報は、番組案内としての番組表や番組の内容に関する情報等が記述されたデータであり、このデータを利用して、視聴者へ番組に関する情報が提供される。このデータは、テーブル形式で記述され、番組と共に多重化される情報データの１つとして、デジタル放送受信装置に送信される。デジタル放送受信装置は、このデータを利用して番組に関する情報である番組情報を得ている。番組情報としては、番組のチャネル番号、放送日時、タイトル、ジャンル等があり、デジタル放送受信装置は、これらの内容を、例えば電子番組表として視聴者に提供する。視聴者は、この電子番組表を利用することによって、容易に番組を選局することができる。
【０００４】
また、放送が多チャネル化することによって、番組の内容も多様化してきている。このため、番組の内容等に応じてデジタル放送受信装置を制御する制御情報等も、番組情報として送信されている。このような制御情報の１つとして、パレンタル情報がある。このパレンタル情報は、デジタル放送受信装置側において番組視聴の制限を可能とするため用いられる情報である。例えば、デジタル信号として代表的なトランスポートストリーム（ＴＳ）では、図１５に示すようにＰＭＴ（Ｐｒｏｇｒａｍ　Ｍａｐ　Ｔａｂｌｅ）の第１ループに配置する限定受信方式記述子のプライベートデータバイト領域の先頭１バイトを用いて記述される。この１バイトに、「０ｘ００」を記述すればパレンタル指定なしが、「０ｘ０１」〜「０ｘ１１」を記述すれば視聴制限を行う最低年齢４〜２０が、それぞれ定義される。なお、ＰＭＴは、ヨーロッパで策定されたＤＶＢ（Ｄｉｇｉｔａｌ　Ｖｉｄｅｏ　Ｂｒｏａｄｃａｓｔｉｎｇ）規格におけるＭＰＥＧ２の多重信号形式に基づく、多重された複数の番組の構成等を記述したプログラム仕様情報（ＰＳＩ：Ｐｒｏｇｒａｍ　Ｓｐｅｃｉｆｉｃ　Ｉｎｆｏｒｍａｔｉｏｎ）の１つであり、各番組の構成やその伝送識別子等の詳細な情報を記述したテーブルである。
このようなパレンタル情報に従って、以下に示すパレンタル制御が行われる。
【０００５】
デジタル放送受信装置側には、視聴を希望しない番組の基準を指定する基準情報（画一的にパレンタル制御が行われる基準である）が、予め設定される。このとき、指定を解除できる認証情報、典型的にはパスワードが一緒に設定される場合もある。
利用者が視聴するために番組を選択すると、デジタル放送受信装置は、その番組の番組情報を取得し、番組情報内のパレンタル情報を確認する。そして、デジタル放送受信装置は、確認したパレンタル情報と予め設定されている基準情報とを比較し、視聴制限すべき番組であるか否かを判定する。視聴制限すべき番組である場合、デジタル放送受信装置は、その番組を視聴できないように制御する。なお、パスワードが設定されていれば、デジタル放送受信装置は、利用者にパスワードの入力を要求する。そして、デジタル放送受信装置は、正しいパスワードの入力があった場合にだけ、視聴制限を解除して番組を視聴できるように制御する。
【０００６】
このように、デジタル放送受信装置では、予め装置内に設定した基準情報に従って、番組を視聴制限させることができる。
しかし、上述した現状のデジタル放送システムでは、設定した基準情報に従ってデジタル放送受信装置側で視聴制限を判断しているとはいえ、その判断に用いるパレンタル情報の設定は放送局側にまかされている。このため、基準情報の設定の仕方によっては、視聴制限したい番組が視聴できたり、視聴制限しなくてよい番組が制限されたりするという問題もあり、利用者に最適なパレンタル制御を実現できるシステムとは言い難い。
【０００７】
そこで、このような問題を解決する手法の１つとして、特許文献１に記載されたデジタル放送受信装置が提案されている。この特許文献１に記載されている技術は、放送局側でパレンタル制御がされていない、すなわちパレンタル情報が設定されていない番組について、デジタル放送受信装置側において利用者による視聴制限の設定を可能とした技術である。
図１６は、特許文献１に記載されている従来のデジタル放送受信装置の構成を示すブロック図である。
【０００８】
図１６において、チューナ１１２は、アンテナ１１１を介して受信したデジタル放送電波を、デジタル信号に復調する。分離部１１３は、チューナ１１２で復調されたデジタル信号を分離して、視聴される番組の映像パケット、音声パケット及び情報データを取り出す。この情報データには、各番組のチャネル番号、放送日時、タイトル等の番組情報データが含まれている。番組情報管理部１２１は、分離部１１３で取り出された情報データから番組情報データを抽出し、番組情報メモリ１２２に格納して管理する。
【０００９】
番組表作成部１２３は、番組情報メモリ１２２に格納されている番組情報から番組表画像データを作成し、合成部１１６に送出する。映像デコーダ１１４は、分離部１１３で分離された映像パケットを、モニタ等に表示可能な映像データに復元する。合成部１１６は、番組表作成部１２３で作成された番組表画像データと、映像デコーダ１１４で復元された映像データとを合成し、合成したデータを出力する。映像出力部１１７は、供給された映像データに応じた映像信号を出力し、モニタ等を駆動する。音声デコーダ１１５は、分離部１１３で分離された音声パケットを、音声データに復元する。音声出力部１１８は、音声デコーダ１１５からの音声データに応じた音声信号を出力し、スピーカ等を駆動する。
【００１０】
条件情報メモリ１２６は、ユーザから指示された番組に対して、視聴制限するときの判定条件となる条件情報を格納する。視聴制限を行う番組を判定する条件は、視聴制限を行うチャネル番号、放送時間帯、ジャンル等の組み合わせによって、ユーザによって指定される。これらの条件が、受信した番組の番組情報と合致したとき、その番組に対して視聴制限が行われる。ユーザ入力部１１９は、ユーザからの受信操作や視聴に関する指示を受け付け、その指示内容を制御部１２０に通知する。制御部１２０は、ユーザ入力部１１９からの指示内容に応じて、チューナ１１２、分離部１１３、番組情報管理部１２１、条件情報メモリ１２６、番組表作成部１２３及び番組録画再生部１２５を制御する。
【００１１】
表示番組判定部１２４は、ユーザが受信を指示した番組に対応する番組情報を、番組情報管理部１２１から受け取り、条件情報メモリ１２６に格納されている条件情報と比較する。その結果、ユーザが指示した番組の番組情報が、条件情報メモリ１２６に格納されている条件情報と合致した場合には、制御部１２０は、ユーザが指示した番組の受信を取り止めるようにチューナ１１２を制御する。なお、パスワードが設定されている場合には、パスワード等を入力することで番組の受信が許可され、ユーザがその番組を視聴できる。
【００１２】
番組録画再生部１２５は、映像出力部１１７及び音声出力部１１８に供給された映像データ及び音声データを、制御部１２０からの指示により録画する。また、録画する番組の番組情報が番組情報管理部１２１から送出され、番組録画再生部１２５は、録画と同時にこの番組情報も記録する。逆に、番組録画再生部１２５は、制御部１２０からの指示により、録画された映像データ及び音声データを、映像出力部１１７及び音声出力部１１８に供給し、さらに記録された番組情報を、番組情報管理部１２１及び表示番組判定部１２４に供給することで、番組を再生する。
このように、特許文献１のデジタル放送受信装置では、番組毎に条件情報を設定して、番組視聴の制限を制御している。
【００１３】
【特許文献１】
特開２００１−１４５０３３号公報
【００１４】
【発明が解決しようとする課題】
しかしながら、上記特許文献１に記載されている従来の技術は、放送局側でパレンタル情報が設定されていない番組についてだけ、ユーザによる任意の番組視聴制限を実現させた技術であり、パレンタル情報が設定された番組については、依然として視聴制限はできないという問題を有している。
【００１５】
また、上記特許文献１に記載されている従来の技術のように、視聴制限を行う番組の条件情報を条件情報メモリ１２６に格納する手法では、視聴制限を行う番組の数が増加した場合、条件情報を格納させるための領域も増加する。このため、予め十分な領域を有した条件情報メモリ１２６が必要となる。また、メモリ領域の増加に伴い、視聴制限を判定するための処理時間も増加するため、応答時間が遅くなるという課題を有していた。
【００１６】
特に、番組録画再生部１２５がビデオカセットレコーダ（ＶＣＲ）の場合、可搬可能な記録媒体であるビデオカセットは、複数のＶＣＲにおいて録画／再生に利用されるのが通常である。また、視聴制限を与えた番組を録画によって長期保存する場合、ビデオカセットの個数も日々増加する。このため、ビデオカセットの増加分に十分対応した条件情報の記憶領域が必要となるため、条件情報メモリ１２６の規模も大きくなってしまう。
【００１７】
さらに、上記特許文献１に記載のデジタル放送受信装置が複数ある場合、視聴制限に対する互換性を図るためには複雑な操作が必要であった。例えば、あるデジタル放送受信装置で録画したビデオカセットを、他のデジタル放送受信装置で再生する場合を考える。この場合、他のデジタル放送受信装置は、このビデオカセットの条件情報を有しないため、視聴制限が動作せずに通常の再生ができるという不都合が生じる。これを解消させるためには、他のデジタル放送受信装置において、ビデオカセットに録画された視聴制限対象の番組の条件情報を再入力する方法が考えられるが、非常に手間のかかる作業となる。
【００１８】
それ故に、本発明の目的は、放送局から指定されるパレンタル情報とは別に、ユーザにより任意に設定及び変更可能なパレンタル情報を番組毎に付与して管理することによって、上記諸問題を解決させたデジタル放送受信装置を提供することである。
【００１９】
【課題を解決するための手段及び発明の効果】
本発明は、上記目的を達成させるために、以下に示す特徴を備えている。
第１の発明は、番組と、放送局で設定された番組の視聴規制を指示するパレンタル情報とが、少なくとも多重されたデジタル放送信号を、放送局から受信して処理するデジタル放送受信装置であって、デジタル放送信号を受信する受信部と、受信されたデジタル放送信号から番組及びパレンタル情報を復元する復元部と、ユーザが任意に設定した番組の視聴規制を指示するセルフパレンタル情報を、ユーザ入力によって番組毎に取得するユーザ入力部と、パレンタル情報とセルフパレンタル情報とを含む番組情報を、現在又は今後放送される少なくとも一部の番組について、各番組に対応させて予め記憶する情報記憶部と、ユーザによって装置に予め設定された基準情報と番組情報とに基づいて、番組毎に視聴可否を判断するパレンタル制御部と、パレンタル制御部の判断に従って、番組の視聴／非視聴の処理を実行する番組処理部とを備え、ユーザから与えられる受信番組の視聴指示に応じて、パレンタル制御部は、受信番組の番組情報を情報記憶部から取得し、取得した番組情報が基準情報を満足するか否かによって、受信番組の視聴可否を判断し、番組処理部は、パレンタル制御部における視聴可能の判断に従って、復元された受信番組の視聴処理を実行することを特徴とする。
【００２０】
上記第１の発明によれば、放送局から番組に付加されるパレンタル情報とは別に、ユーザが任意に設定／変更できるセルフパレンタル情報を、番組毎に情報記憶部に記憶する。そして、番組視聴要求があった場合には、このセルフパレンタル値を視聴制限の判断に用いる。これにより、装置を使用するユーザの意思を反映させたパレンタル制御を実現させることができる。
特に、セルフパレンタル情報を、情報記憶部に記憶する番組情報の一部としているため、装置側で新たにパレンタル判定用のデータを記憶するメモリ等を設ける必要がない。なお、放送が終了した番組の番組情報は、情報記憶部から削除してもよいため、番組放送終了毎に順次番組情報を削除すれば、大容量の番組情報メモリを準備しておく必要もない。
【００２１】
第２の発明は、第１の発明に従属するデジタル放送受信装置であって、パレンタル制御部は、セルフパレンタル情報が基準情報を満足すれば、受信番組を視聴可能と判断することを特徴とする。
第３の発明は、第２の発明に従属するデジタル放送受信装置であって、パレンタル制御部は、セルフパレンタル情報が基準情報を満足しない場合、パレンタル情報が基準情報を満足すれば、受信番組を視聴可能と判断することを特徴とする。
第４の発明は、第１の発明に従属するデジタル放送受信装置であって、パレンタル制御部は、パレンタル情報が基準情報を満足すれば、受信番組を視聴可能と判断し、パレンタル情報が基準情報を満足しない場合、セルフパレンタル情報が基準情報を満足すれば、受信番組を視聴可能と判断することを特徴とする。
【００２２】
上記第２〜第４の発明のように、パレンタル情報とセルフパレンタル情報とを自由に組み合わせることで、様々なパレンタル制御を実現することができる。
【００２３】
第５の発明は、第２の発明に従属するデジタル放送受信装置であって、パレンタル制御部は、セルフパレンタル情報が基準情報を満足しない場合、所定のパスワードの入力をユーザに要求し、正しいパスワードが入力されれば、受信番組を視聴可能と判断することを特徴とする。
第６の発明は、第３の発明に従属するデジタル放送受信装置であって、パレンタル制御部は、パレンタル情報が基準情報を満足しない場合、所定のパスワードの入力をユーザに要求し、正しいパスワードが入力されれば、受信番組を視聴可能と判断することを特徴とする。
第７の発明は、第４の発明に従属するデジタル放送受信装置であって、パレンタル制御部は、パレンタル情報が基準情報を満足しない場合、所定のパスワードの入力をユーザに要求し、正しいパスワードが入力されれば、受信番組を視聴可能と判断し、正しいパスワードが入力されず、かつセルフパレンタル情報が基準情報を満足しない場合、所定の他のパスワードの入力をユーザに要求し、正しい他のパスワードが入力されれば、受信番組を視聴可能と判断することを特徴とする。
【００２４】
第８の発明は、第１の発明に従属するデジタル放送受信装置であって、パレンタル制御部は、パレンタル情報及びセルフパレンタル情報の両方が設定されている場合、所定の２種類のパスワードの入力をユーザに要求し、正しい２種類のパスワードがそれぞれ入力されれば、受信番組を視聴可能と判断することを特徴とする。
【００２５】
上記第５〜第８の発明のように、番組の視聴制限を解除できるパスワードを予め設定しておくことで、パスワードを知っている特定のユーザが、視聴制限された番組を視聴することが可能となる。
【００２６】
第９の発明は、第２の発明に従属するデジタル放送受信装置であって、セルフパレンタル情報及び基準情報は、視聴を可能とする年齢に基づく年齢値であることを特徴とする。
第１０の発明は、第３の発明に従属するデジタル放送受信装置であって、パレンタル情報、セルフパレンタル情報及び基準情報は、視聴を可能とする年齢に基づく年齢値であることを特徴とする。
第１１の発明は、第４の発明に従属するデジタル放送受信装置であって、パレンタル情報、セルフパレンタル情報及び基準情報は、視聴を可能とする年齢に基づく年齢値であることを特徴とする。
【００２７】
上記第９〜第１１の発明のように、パレンタル情報、セルフパレンタル情報及び基準情報として単純な年齢値を用いることで、ユーザが簡単に番組の視聴制限を設定することができる。
【００２８】
第１２の発明は、第１の発明に従属するデジタル放送受信装置であって、ユーザから与えられる受信番組の録画指示に応じて、受信部が受信する番組を、情報記憶部に予め記憶された番組に関する番組情報と共に記録媒体に記録し、また、ユーザから与えられる記録番組の再生指示に応じて、記録番組の番組情報を記録媒体から再生し、パレンタル制御部における視聴可能の判断に従って記録媒体から記録番組を再生する番組録画再生部をさらに備える。
【００２９】
上記第１２の発明によれば、番組録画再生部は、情報記憶部に記憶されている番組情報を、番組と共に記録媒体に記録する。そして、番組録画再生部によって録画された番組を再生する場合、その番組情報を判断して番組視聴を実行する。従って、番組を録画したユーザの意思を反映させたパレンタル制御を、確実かつ容易に行うことができる。
【００３０】
第１３の発明は、第１２の発明に従属するデジタル放送受信装置であって、番組録画再生部は、番組及び番組情報を、可搬型の記録媒体へ記録及び可搬型の記録媒体から再生することを特徴とする。
【００３１】
上記第１３の発明によれば、可搬型の記録媒体に録画番組のセルフパレンタル情報を含む番組情報を記録することで、他の装置においてもセルフパレンタル情報に基づくパレンタル制御を行えるという互換性も実現できる。
【００３２】
第１４の発明は、第１２の発明に従属するデジタル放送受信装置であって、番組録画再生部は、少なくとも番組と番組情報とを多重化したパーシャルトランスポートストリームを記録媒体に記録することを特徴とする。
第１５の発明は、第１４の発明に従属するデジタル放送受信装置であって、番組録画再生部は、パレンタル情報及びセルフパレンタル情報を、パーシャルトランスポートストリームで規定されているＳＩＴ又はＰＭＴの少なくとも１つに記述することを特徴とする。
【００３３】
上記第１４及び第１５の発明のように、記録形式としてパーシャルトランスポートストリームを用いる場合には、ＳＩＴ及び／又はＰＭＴに番組情報を記述することができる。特に、ＰＭＴに番組情報を記述する場合には、再生時においてＳＩＴが最初に検出されるまでの間に、パレンタル規制された番組内容の一部が視聴されてしまう恐れを防止することができる。
【００３４】
第１６の発明は、第１５の発明に従属するデジタル放送受信装置であって、番組録画再生部は、記録媒体上のパーシャルトランスポートストリームが記録されるデータ領域を管理するためのヘッダ領域に、パレンタル情報及びセルフパレンタル情報をさらに記録することを特徴とする。
【００３５】
上記第１６の発明のように、所定のヘッダ部分にパレンタル情報及びセルフパレンタル情報をさらに記録するので、番組の再生開始時から遅延なくパレンタル制御を行うことが可能となる。
【００３６】
第１７の発明は、第１４の発明に従属するデジタル放送受信装置であって、番組録画再生部は、記録媒体上のパーシャルトランスポートストリームが記録されるデータ領域を管理するためのヘッダ領域に、パレンタル情報及びセルフパレンタル情報を求めるための演算式を記録することを特徴とする。
【００３７】
上記第１７の発明のように、演算式を用いて番組情報を記録すれば、記録する情報量を少なくさせることができる。
【００３８】
第１８の発明は、第１２の発明に従属するデジタル放送受信装置であって、ユーザから与えられる記録媒体に記録された特定番組の再生指示に応じて、番組録画再生部は、記録媒体から特定番組の番組情報を再生し、パレンタル制御部は、再生された番組情報を番組録画再生部から取得し、番組情報に基づいて特定番組の視聴可否を判断し、番組録画再生部は、パレンタル制御部における視聴可能の判断に従って、記録媒体から特定番組を再生し、番組処理部は、番組録画再生部で再生された特定番組の視聴処理を実行することを特徴とする。
【００３９】
上記第１８の発明によれば、ユーザは、記録媒体に記録された番組情報を利用して、視聴制限を遵守した番組再生を行うことが可能となる。
【００４０】
第１９の発明は、第１２の発明に従属するデジタル放送受信装置であって、ユーザ入力部は、ユーザが設定した番組の検索条件を、ユーザ入力によってさらに取得し、ユーザから与えられる記録媒体に記録された番組の検索指示に応じて、番組録画再生部は、記録されている全ての番組に関する番組情報を記録媒体から再生し、パレンタル制御部は、再生された全ての番組情報を番組録画再生部から取得し、全ての番組情報に基づいて番組情報が検索条件に適合する番組を検索することを特徴とする。
【００４１】
上記第１９の発明によれば、ユーザは、記録媒体に記録された番組情報を利用して、視聴制限を遵守した番組検索を行うことが可能となる。
【００４２】
第２０の発明は、第１２の発明に従属するデジタル放送受信装置であって、ユーザ入力部は、ユーザが設定した番組の検索条件を、ユーザ入力によってさらに取得し、ユーザから与えられる記録媒体に記録された番組の検索再生指示に応じて、番組録画再生部は、記録されている全ての番組に関する番組情報を記録媒体から再生し、パレンタル制御部は、再生された全ての番組情報を番組録画再生部から取得し、全ての番組情報に基づいて番組情報が検索条件に適合する番組を検索し、番組録画再生部は、パレンタル制御部で検索された番組を記録媒体から再生し、番組処理部は、番組録画再生部で再生された番組の視聴処理を実行することを特徴とする。
【００４３】
上記第２０の発明によれば、ユーザは、記録媒体に記録された番組情報を利用して、視聴制限を遵守した番組検索及び番組再生を行うことが可能となる。
【００４４】
第２１の発明は、第１８の発明に従属するデジタル放送受信装置であって、パレンタル制御部は、再生された番組のセルフパレンタル情報が基準情報を満足すれば、再生された番組を視聴可能と判断することを特徴とする。
第２２の発明は、第２１の発明に従属するデジタル放送受信装置であって、パレンタル制御部は、セルフパレンタル情報が基準情報を満足しない場合、所定のパスワードの入力をユーザに要求し、正しいパスワードが入力されれば、再生された番組を視聴可能と判断することを特徴とする。
【００４５】
第２３の発明は、第１９の発明に従属するデジタル放送受信装置であって、パレンタル制御部は、検索した番組のうちセルフパレンタル情報が基準情報を満足しない番組を除外することを特徴とする。
第２４の発明は、第２３の発明に従属するデジタル放送受信装置であって、パレンタル制御部は、セルフパレンタル情報が基準情報を満足しない場合、所定のパスワードの入力をユーザに要求し、正しいパスワードが入力されれば、番組を除外しないことを特徴とする。
【００４６】
第２５の発明は、第２０の発明に従属するデジタル放送受信装置であって、パレンタル制御部は、検索した番組のうちセルフパレンタル情報が基準情報を満足しない番組を除外することを特徴とする。
第２６の発明は、第２５の発明に従属するデジタル放送受信装置であって、パレンタル制御部は、セルフパレンタル情報が基準情報を満足しない場合、所定のパスワードの入力をユーザに要求し、正しいパスワードが入力されれば、番組を除外しないことを特徴とする。
【００４７】
上記第２１〜第２６の発明のように、セルフパレンタル情報とパスワードとを自由に組み合わせることで、様々なパレンタル制御を実現することができる。
【００４８】
第２７の発明は、第２１の発明に従属するデジタル放送受信装置であって、セルフパレンタル情報及び基準情報は、視聴を可能とする年齢に基づく年齢値であることを特徴とする。
第２８の発明は、第２３の発明に従属するデジタル放送受信装置であって、セルフパレンタル情報、基準情報及び検索条件は、視聴を可能とする年齢に基づく年齢値であることを特徴とする。
第２９の発明は、第２５の発明に従属するデジタル放送受信装置であって、セルフパレンタル情報、基準情報及び検索条件は、視聴を可能とする年齢に基づく年齢値であることを特徴とする。
【００４９】
上記第２７〜第２９の発明のように、セルフパレンタル情報及び基準情報として単純な年齢値を用いることで、ユーザが簡単に番組の視聴制限を設定することができる。
【００５０】
第３０の発明は、第１２の発明に従属するデジタル放送受信装置であって、ユーザ入力部は、ユーザが設定した番組内容を示す特定の情報を、ユーザ入力によってさらに取得し、情報記憶部は、番組情報に特定の情報を含めて記憶し、番組録画再生部は、特定の情報を含んだ番組情報を記録媒体に記録することを特徴とする。
第３１の発明は、第３０の発明に従属するデジタル放送受信装置であって、ユーザ入力部は、ユーザが設定した番組の検索条件及び特定条件を、ユーザ入力によってさらに取得し、ユーザから与えられる記録媒体に記録された番組の検索指示に応じて、番組録画再生部は、記録されている全ての番組に関する番組情報を記録媒体から再生し、パレンタル制御部は、再生された全ての番組情報を番組録画再生部から取得し、全ての番組情報に基づいて番組情報が検索条件及び特定条件に適合する番組を検索することを特徴とする。
第３２の発明は、第３１の発明に従属するデジタル放送受信装置であって、パレンタル制御部は、特定の情報が特定条件を満足し、かつセルフパレンタル情報が基準情報を満足する番組を検索することを特徴とする。
【００５１】
上記第３０〜第３２の発明のように、パレンタル情報とは異なる特定の情報をさらに用いることで、複雑なパレンタル規制を実現させることができる。
【００５２】
第３３の発明は、第３２の発明に従属するデジタル放送受信装置であって、パレンタル制御部は、セルフパレンタル情報が基準情報を満足しない場合、所定のパスワードの入力をユーザに要求し、正しいパスワードが入力されれば、番組を検索対象とすることを特徴とする。
【００５３】
第３４の発明は、第３０の発明に従属するデジタル放送受信装置であって、番組録画再生部は、少なくとも番組と番組情報とを多重化したパーシャルトランスポートストリームを記録媒体に記録することを特徴とする。
第３５の発明は、第３４の発明に従属するデジタル放送受信装置であって、番組録画再生部は、パレンタル情報及びセルフパレンタル情報を、パーシャルトランスポートストリームで規定されているＳＩＴ又はＰＭＴの少なくとも１つに記述することを特徴とする。
第３６の発明は、第３５の発明に従属するデジタル放送受信装置であって、特定の情報が、パレンタル情報を記述する領域のうち未使用ビットを利用して予め定義されることを特徴とする。
【００５４】
上記第３４〜第３６の発明のように、記録形式としてパーシャルトランスポートストリームを用いる場合には、ＳＩＴ及び／又はＰＭＴに番組情報を記述することができる。特に、ＰＭＴに番組情報を記述する場合には、再生時においてＳＩＴが最初に検出されるまでの間に、パレンタル規制された番組内容の一部が視聴されてしまう恐れを防止することができる。また、特定の情報を未使用ビットに記述するようにすれば、規格を変更することなく本発明を実現させることができる。
【００５５】
第３７の発明は、第１の発明に従属するデジタル放送受信装置であって、受信部が、番組がキャリアに重畳されたアナログ放送信号を放送局から受信する機能を、復元部が、アナログ放送信号をデジタル信号に変換処理する機能を、さらに備え、情報記憶部は、ユーザ入力部から取得したセルフパレンタル情報を、現在又は今後放送される少なくとも一部のアナログ番組に対応させて予め記憶し、パレンタル制御部は、ユーザから与えられるアナログ放送番組の視聴指示に応じて、アナログ放送番組に関するセルフパレンタル情報を情報記憶部から取得し、セルフパレンタル情報に基づいてアナログ放送番組の視聴可否を判断し、番組処理部は、パレンタル制御部における視聴可能の判断に従って、アナログ放送番組の視聴処理を実行することを特徴とする。
【００５６】
上記第３７の発明によれば、デジタル放送信号に加えて、パレンタル規制の機能を持たないアナログ放送信号も制御対象とすることが可能となる。
【００５７】
【発明の実施の形態】
本発明のデジタル放送受信装置は、映像モニタや音声スピーカを内蔵したテレビ受像機等と一体で構成される形態であってもよいし、セットトップボックス（ＳＴＢ）のようにテレビ受像機等と独立して構成される形態であってもよい。
以下、デジタル放送受信装置が、セットトップボックスの形態であり、受信した番組データをトランスポートストリーム形式で処理する場合を一例に挙げて、本発明を説明する。
【００５８】
（第１の実施形態）
図１は、本発明の第１の実施形態に係るデジタル放送受信装置の構成を示すブロック図である。図１において、第１の実施形態に係るデジタル放送受信装置は、アンテナ１１、チューナ１２、分離部１３、映像デコーダ１４、音声デコーダ１５、合成部１６、映像出力部１７、音声出力部１８、ユーザ入力部１９、制御部２０、番組情報管理部２１、番組情報メモリ２２、番組表作成部２３、及びパレンタル判定部２４を備える。
【００５９】
請求項における受信部及び復元部は、チューナ１２、分離部１３、映像デコーダ１４及び音声デコーダ１５によって、パレンタル制御部は、制御部２０、番組情報管理部２１及びパレンタル判定部２４によって、番組処理部は、映像出力部１７及び音声出力部１８によって、それぞれ構成される。
【００６０】
まず、本発明の第１の実施形態に係るデジタル放送受信装置の各構成の概要を説明する。
チューナ１２は、ユーザが指示した番組を放送するチャネルのデジタル放送電波を、アンテナ１１を介して受信する。そして、チューナ１２は、受信したデジタル放送電波に復調処理や誤り訂正処理等を施して、トランスポートストリーム形式のデジタル信号を出力する。分離部１３は、チューナ１２から出力されるトランスポートストリームをＴＳパケットに分離し、そのＴＳパケットからユーザが指示した番組の映像パケット、音声パケット及びそれ以外の制御情報（ＰＳＩ，ＳＩ）を含む情報データを抽出する。抽出された映像パケット、音声パケット及び情報データは、映像デコーダ１４、音声デコーダ１５及び番組情報管理部２１に、それぞれ供給される。より具体的には、各パケットは、先入れ先出し処理を行うＦＩＦＯメモリ（図示せず）を介して固定レートのストリームに変換された後に、各デコーダに供給される。
【００６１】
映像デコーダ１４は、分離部１３で分離された映像パケットをデコード処理して、映像データを復元する。音声デコーダ１５は、分離部１３で分離された音声パケットをデコード処理して、音声データを復元する。合成部１６は、映像デコーダ１４で復元された映像データ又は番組表作成部２３で作成された番組表画像データのいずれかを選択して、あるいは映像データと番組表画像データとを合成して、出力する。映像出力部１７は、合成部１６から出力されるデータをモニタ等に表示できる映像信号に変換する。音声出力部１８は、音声デコーダ１５から出力される音声データをスピーカ等で出力できる音声信号に変換する。この変換された映像信号及び音声信号は、外部装置に向けて出力される。
【００６２】
ユーザ入力部１９は、例えばリモコンであって、ユーザから入力される様々な指示（番組選択、番組表の表示、パレンタル制御等）を制御部２０に伝える。制御部２０は、番組受信、番組情報の設定／変更、視聴規制及び番組表表示等に関する指示を与えて、チューナ１２、分離部１３、合成部１６、映像出力部１７及び音声出力部１８、番組情報管理部２１、及びパレンタル判定部２４を制御する。番組情報管理部２１は、分離部１３で抽出された情報データから番組に関する番組情報データのみを取得し、番組情報データから得られる番組情報を番組情報メモリ２２に格納して管理する。また、番組情報管理部２１は、ユーザからの指示に従って、番組情報メモリ２２に記憶された各番組について、後述するセルフパレンタル情報を付与することを行う。本実施形態のデジタル放送受信装置では、この番組情報及びセルフパレンタル情報を利用して、番組情報の提供や受信番組の視聴規制等の処理を行う。
【００６３】
番組情報メモリ２２は、番組情報管理部２１から与えられる番組情報及びセルフパレンタル情報を記憶する（図２）。この番組情報には、それぞれに番組について、チャネル番号、放送日時、タイトル、ジャンル、及び視聴制限のためのパレンタル情報等が含まれる。セルフパレンタル情報は、番組情報に含めて放送局から与えられるパレンタル情報とは異なる、ユーザが任意に設定できるパレンタル規制のための情報である。なお、デジタル放送における番組情報としては、現在放送中の番組及び次に放送される番組の情報が与えられる短期番組情報と、約１週間分の番組の情報が与えられる長期番組情報とがある。このため、番組情報メモリ２２は、短期番組情報及び長期番組情報の両方を記憶する。番組表作成部２３は、番組情報メモリ２２に記憶されている番組情報に基づいて番組表画像データを作成し、合成部１６に供給する。より具体的には、作成された番組表画像データは、一旦ビデオメモリ（図示せず）に書き込まれ、番組表を表示する場合に合成部１６によってビデオメモリから読み出される。
【００６４】
パレンタル判定部２４は、デジタル放送受信装置に予め設定される基準情報を記憶する。パレンタル判定部２４は、この基準情報、番組情報メモリ２２に記憶された番組情報内のパレンタル情報及びセルフパレンタル情報に基づいて、ユーザが視聴しようとする番組が、視聴制限（パレンタル規制）された番組であるかどうかを判定する。本実施形態では、パレンタル判定部２４における判定結果に基づいて、番組の視聴制限処理が行われる。
【００６５】
トランスポートストリームを処理する実際の装置構成では、分離部１３がＴＳデコーダに相当し、制御部２０、番組情報管理部２１、番組表作成部２３、及びパレンタル判定部２４が、その機能を実現させるためのプログラム及びこのプログラムを実行するＣＰＵによって実現される。また、それぞれの構成間におけるデータ、情報及び指示のやり取りは、データバスを介して行われる。
【００６６】
以下、本第１の実施形態による番組視聴の制限手法を、具体的に説明する。
なお、各実施形態では、パレンタル規制についての説明を分かり易くするために、パレンタル情報、セルフパレンタル情報、及び基準情報として、パレンタル規制がされる視聴者の年齢を示す値が設定される場合を説明する。また、パレンタル値及びセルフパレンタル値の２つをまとめて表現する場合には、パレンタルセットと記すことにする。
【００６７】
まず、番組情報管理部２１は、番組情報メモリ２２に格納して管理する番組情報を、情報データから取得する必要がある。この番組情報を取得する手法は、例えば次のようにして行われる。ユーザがデジタル放送受信装置の電源を入れたとき、制御部２０が、チューナ１２に対して、長期番組情報を有するトランスポートストリームを捕捉するように指示する。チューナ１２は、この指示に応じて、そのトランスポートストリームを捕捉する。番組情報管理部２１は、そのトランスポートストリームから最新の長期番組情報を、分離部１３を介して取得し、番組情報メモリ２２に記憶する。番組情報メモリ２２にすでに記憶している番組情報が存在する場合には、番組情報管理部２１は、その番組情報を最新の長期番組情報に更新する。
【００６８】
このとき、番組情報に含まれるパレンタル値については、次のように番組情報メモリ２２に記憶する内容を更新する。最新の長期番組情報においてパレンタル値が指定されていない、すなわちパレンタル規制がされていない番組については、パレンタル値の更新は行わない。従って、前回取得した長期番組情報に基づいてすでにパレンタル値が記憶されている場合には、前回のパレンタル値がそのまま残ることとなる。パレンタル規制がされている番組については、指定されているパレンタル値を記憶して更新する。このとき、前回取得した長期番組情報に基づいてすでにパレンタル値が記憶されている場合には、パレンタル規制がより強い方（又は弱い方）のパレンタル値を記憶して更新する。このようにして、番組情報メモリ２２には、約１週間先までの最新の番組情報が記憶される。なお、短期番組情報についても、同様にパレンタル値の設定／変更が行われる。
【００６９】
次に、ユーザは、どのような視聴制限を行いたいかを示すセルフパレンタル値を、放送局側が与えるパレンタル値とは別に、番組毎に設定する。このセルフパレンタル値は、番組情報のタイトル名や内容等を参考にして、ユーザによって任意に定義される。例えば、番組がアダルト向けの内容であり１８歳以下の者に見せたくないのなら、この番組にセルフパレンタル値「１８」を設定する。また、視聴制限の必要がない番組については、０歳以下の者に限定される意味を持つセルフパレンタル値「０」を設定する。ユーザが設定を行わない番組のセルフパレンタル値には、デフォルト値「０」が与えられる。なお、この設定したセルフパレンタル値は、必要に応じて変更することが可能である。
【００７０】
図３は、上記設定手法に従ってセルフパレンタル値が設定された番組情報の具体的な一例を示した図である。図３において、番組１及び番組５は、視聴制限が行われていないことを示している。番組２は、放送局側では視聴制限がされていないが、ユーザによって１８歳以下の者に対して視聴制限がされたことを示している。番組３は、放送局側で１８歳以下の視聴制限がされているが、ユーザによって１２歳以下の視聴制限に規制が緩和されたことを示している。番組４は、放送局側で１８歳以下の視聴制限がされているが、ユーザによって２０歳以下の視聴制限に規制が強められたことを示している。
【００７１】
このセルフパレンタル値は、特定のユーザだけが設定／変更できように制御することが好ましい。この制御は、パスワード等の認証情報を利用すれば容易である。例えば、セルフパレンタル値を設定／変更する際に必要なパスワードを、予め決めておく。そして、ユーザ入力部１９を介してセルフパレンタル値を設定／変更するときには、パスワードの入力を要求するようにする。このようにすれば、パスワードを知る特定のユーザだけが、セルフパレンタル値の設定／変更を行うことができる。パスワードは、制御部２０が保持すればよい。
【００７２】
図４は、パスワードを用いたセルフパレンタル値の設定／変更処理の手順を示すフローチャートである。
ユーザが、ユーザ入力部１９を介してセルフパレンタル値の設定／変更を行う指示を制御部２０に与えると、制御部２０は、利用者に対してパスワードの入力を要求する（ステップＳ４０１）。制御部２０は、利用者が入力したパスワードが正規のパスワードであるか否かを判定する（ステップＳ４０２）。正規のパスワードである場合、制御部２０は、ユーザが特定のユーザであると判断し、パレンタルセットを含めた番組表を作成して外部のモニタに表示するように、番組表作成部２３、合成部１６及び映像出力部１７に指示する（ステップＳ４０３）。特定のユーザは、モニタに表示された番組表を参照し、新たなセルフパレンタル値を入力して、セルフパレンタル値の設定又は変更を制御部２０に指示する（ステップＳ４０４）。制御部２０は、指示に応じて番組情報メモリ２２の記憶内容を新たなセルフパレンタル値に変更する（ステップＳ４０５）。一方、正規のパスワードでない場合、制御部２０は、ユーザが特定のユーザでないと判断し、パスワードが不正規時の処理を行って、このセルフパレンタル値の設定／変更処理動作を終了する（ステップＳ４０６）。
【００７３】
次に、パレンタルセットに基づいた番組視聴を説明する。図５は、番組視聴処理の手順を示すフローチャートである。
ユーザが、ある番組の視聴を制御部２０に指示すると、制御部２０は、チューナ１２に対して当該番組を受信するように、分離部１３に対して受信された番組から情報データを抽出するように、それぞれ指示する（ステップＳ５０１）。また、制御部２０は、番組情報管理部２１に対して、ユーザが指示した番組のパレンタルセットをパレンタル判定部２４に通知するように指示する。この指示に応じて、番組情報管理部２１は、番組情報メモリ２２から記録済みのパレンタルセットを読み出す（ステップＳ５０２）。ここで、番組情報管理部２１は、分離部１３で抽出された情報データから番組情報データを取得し、最新のパレンタル値と番組情報メモリ２２から読み出した既存のパレンタル値とを比較する（ステップＳ５０３）。そして、番組情報管理部２１は、最新のパレンタル値と既存のパレンタル値が異なり設定又は変更が必要な場合には、上述したパレンタル値の設定／変更処理を実行する（ステップＳ５０４，Ｓ５０５）。最後に、番組情報管理部２１は、必要な設定／変更が行われたパレンタル値及び既存のセルフパレンタル値を、パレンタル判定部２４に通知する（ステップＳ５０６）。
【００７４】
パレンタル判定部２４及び制御部２０は、番組情報管理部２１から通知されるパレンタルセットと、予め設定されている基準値とに基づいて、番組の視聴制限をすべきか否かを判断する（ステップＳ５０７）。この判断手法には、以下の３つの手法が考えられる。図６〜図８は、この３つの手法について、番組視聴制限を判断する手順を示したフローチャートである。
【００７５】
１．セルフパレンタル値だけに基づく手法（図６）
パレンタル判定部２４は、基準値とセルフパレンタル値とを比較する（ステップＳ５１１）。比較の結果、セルフパレンタル値の方が大きければ、制御部２０は、ユーザに対してパスワードの入力を求める（ステップＳ５１２）。正規のパスワードが入力されれば、制御部２０は、番組の視聴を許可すべく関係各部に所定の指示を与える（ステップＳ５１３，Ｓ５１５）。正規のパスワードが入力されなければ、制御部２０は、番組の視聴を不許可にすべく関係各部に所定の指示を与える（ステップＳ５１３，Ｓ５１４）。一方、セルフパレンタル値の方が小さければ、番組の視聴を許可すべく関係各部に所定の指示を与える（ステップＳ５１５）。
【００７６】
２．セルフパレンタル値（優先）とパレンタル値とに基づく手法（図７）
パレンタル判定部２４は、基準値とセルフパレンタル値とを比較する（ステップＳ５２１）。比較の結果、セルフパレンタル値の方が大きければ、制御部２０は、ユーザに対してパスワードの入力を求める（ステップＳ５２２）。正規のパスワードが入力されれば、制御部２０は、番組の視聴を許可すべく関係各部に所定の指示を与える（ステップＳ５２３，Ｓ５２５）。正規のパスワードが入力されなければ、制御部２０は、番組の視聴を不許可にすべく関係各部に所定の指示を与える（ステップＳ５２３，Ｓ５２４）。
【００７７】
一方、セルフパレンタル値の方が小さければ、パレンタル判定部２４は、次に基準値とパレンタル値とを比較する（ステップＳ５２６）。比較の結果、パレンタル値の方が大きければ、制御部２０は、ユーザに対してパスワードの入力を求める（ステップＳ５２７）。正規のパスワードが入力されれば、制御部２０は、番組の視聴を許可すべく関係各部に所定の指示を与える（ステップＳ５２８，Ｓ５３０）。正規のパスワードが入力されなければ、制御部２０は、番組の視聴を不許可にすべく関係各部に対して指示を与える（ステップＳ５２８，Ｓ５２９）。一方、パレンタル値の方が小さければ、番組の視聴を許可すべく関係各部に対して指示を与える（ステップＳ５３０）。
【００７８】
３．セルフパレンタル値とパレンタル値（優先）とに基づく制御（図８）
パレンタル判定部２４は、基準値とパレンタル値とを比較する（ステップＳ５３１）。比較の結果、パレンタル値の方が大きければ、制御部２０は、ユーザに対してパスワードの入力を求める（ステップＳ５３２）。正規のパスワードが入力されれば、制御部２０は、番組の視聴を許可すべく関係各部に対して指示を与える（ステップＳ５３３，Ｓ５３５）。正規のパスワードが入力されなければ、制御部２０は、番組の視聴を不許可にすべく関係各部に対して指示を与える（ステップＳ５３３，Ｓ５３４）。一方、パレンタル値の方が小さければ、番組の視聴を許可すべく関係各部に対して指示を与える（ステップＳ５３５）。
【００７９】
一方、パレンタル値の方が小さければ、パレンタル判定部２４は、次に基準値とセルフパレンタル値とを比較する（ステップＳ５３６）。比較の結果、セルフパレンタル値の方が大きければ、制御部２０は、ユーザに対してパスワードの入力を求める（ステップＳ５３７）。正規のパスワードが入力されれば、制御部２０は、番組の視聴を許可すべく関係各部に対して指示を与える（ステップＳ５３８，Ｓ５４０）。正規のパスワードが入力されなければ、制御部２０は、番組の視聴を不許可にすべく関係各部に対して指示を与える（ステップＳ５３８，Ｓ５３９）。一方、セルフパレンタル値の方が小さければ、番組の視聴を許可すべく関係各部に対して指示を与える（ステップＳ５４０）。
【００８０】
以上のように、本発明の第１の実施形態に係るデジタル放送受信装置によれば、放送局から番組に付加されるパレンタル値とは別に、ユーザが任意に設定／変更できるセルフパレンタル値を、番組毎に番組情報メモリ２２に格納する。そして、番組視聴要求があった場合には、このセルフパレンタル値を視聴制限の判断に用いる。これにより、装置を使用するユーザの意思を反映させたパレンタル制御を実現させることができる。
特に、セルフパレンタル値を、番組情報メモリ２２に格納する番組情報の一部として格納しているため、装置側で新たにパレンタル判定用のデータを格納するメモリ等を設ける必要がない。なお、放送が終了した番組の番組情報は、番組情報メモリ２２から削除してもよいため、番組放送終了毎に順次番組情報を削除すれば、大容量の番組情報メモリを準備しておく必要もない。
【００８１】
なお、上記第１の実施形態では、パレンタル判定部２４及び制御部２０における番組視聴制限の判断において、基準値とパレンタル値又はセルフパレンタル値との比較によって、パスワードの入力を要求する場合を説明した。これ以外にも、基準値に関係なく、パレンタルセットによる視聴制限があれば（パレンタル値又はセルフパレンタル値のいずれかの値が設定されていれば）、無条件でパスワードの入力を要求するようにしてもよい。このようにすれば、視聴制限を二重でロックすることができるので、どちらか一方のパスワードが知られても、他方のパスワードで視聴制限を行うことができるという効果がある。
【００８２】
（第２の実施形態）
図９は、本発明の第２の実施形態に係るデジタル放送受信装置の構成を示すブロック図である。図９において、第２の実施形態に係るデジタル放送受信装置は、アンテナ１１、チューナ１２、分離部１３、映像デコーダ１４、音声デコーダ１５、合成部１６、映像出力部１７、音声出力部１８、ユーザ入力部１９、制御部２０、番組情報管理部２１、番組情報メモリ２２、番組表作成部２３、パレンタル判定部２４、及び番組録画再生部２５を備える。
【００８３】
図９で分かるように、第２の実施形態に係るデジタル放送受信装置の構成は、第１の実施形態に係るデジタル放送受信装置の構成と比べて、番組録画再生部２５だけが異なる。この第２の実施形態に係るデジタル放送受信装置では、受信番組を記録媒体に録画する際にパレンタル値に加えてセルフパレンタル値を付加することで、その録画番組を再生する際に、ユーザの意思を反映させたパレンタル制御ができるようにしたことを特徴とする。
以下、異なる構成である番組録画再生部２５を中心に、第２の実施形態に係るデジタル放送受信装置を説明する。
【００８４】
まず、番組録画再生部２５の概要を説明する。
番組録画再生部２５は、ビデオカセットやＤＶＤ−ＲＡＭ等の可搬型記録媒体又はハードディスク等の固定型記録媒体を駆動する機能を内蔵している。番組録画再生部２５は、制御部２０から与えられる番組の録画指示に基づいて、その番組に関する映像データ、音声データ、及び番組情報を、映像デコーダ１４、音声デコーダ１５、及び番組情報管理部２１から入力し、記録媒体上に所定の形式で記録する。トランスポートストリームに対応する記録形式の場合、パーシャルトランスポートストリームが記録される。一方、番組録画再生部２５は、制御部２０から与えられる番組の再生指示に基づいて、その番組に関して記録されている映像データ、音声データ及び番組情報を記録媒体から読み出して、映像出力部１７、音声出力部１８及び番組情報管理部２１に供給し、番組情報に基づいたパレンタル制御に従って番組を再生する。
【００８５】
次に、番組録画再生部２５によって、ユーザが希望する番組が記録媒体に録画されるときの処理について説明する。図１０は、番組録画処理の手順を示すフローチャートである。
ユーザは、現在受信している番組を録画したい場合、ユーザ入力部１９を介して制御部２０に番組録画の指示を与える。なお、ユーザが、事前に番組録画を予約している場合には、予約時間になったときに、録画予約部（図示せず）から制御部２０に番組録画の指示が与えられる。
【００８６】
制御部２０は、分離部１３に対して、チューナ１２が受信した録画対象番組から情報データを抽出するように指示する（ステップＳ１００１）。また、制御部２０は、番組情報管理部２１に対して、録画対象番組の番組情報を番組録画再生部２５に通知するように指示する。この指示に応じて、番組情報管理部２１は、番組情報メモリ２２から記録済みの番組情報を読み出す（ステップＳ１００２）。ここで、ユーザは、必要ならばパレンタルセットの設定／変更を行うことが可能である（ステップＳ１００３）。パレンタル値の設定／変更は、上述したように、分離部１３で抽出された情報データから抽出した最新のパレンタル値と番組情報メモリ２２から読み出した既存のパレンタル値との比較に基づいて行われる（ステップＳ１００４）。セルフパレンタル値の設定／変更は、上記第１の実施形態で述べた処理（図４）に基づいて行われる（ステップＳ１００５）。最後に、番組情報管理部２１は、必要な設定又は変更が行われたパレンタルセットを含む番組情報を、番組録画再生部２５に通知する（ステップＳ１００６）。
【００８７】
番組録画再生部２５は、まず、通知されたパレンタルセットを含む番組情報を、記録媒体上の録画対象番組を記録する領域内にある所定のデータ管理領域に記録する（ステップＳ１００７）。パーシャルトランスポートストリームの記録形式では、番組情報がＳＩＴ（Ｓｅｌｅｃｔｉｏｎ　Ｉｎｆｏｒｍａｔｉｏｎ　Ｔａｂｌｅ）に記述される。その後、番組録画再生部２５は、録画対象番組の映像データ及び音声データを、記録媒体上の所定のデータ領域に所定の形式で記録する（ステップＳ１００８）。これにより、ユーザが所望する番組が録画される。
【００８８】
上述したように、トランスポートストリーム上では、パレンタル値の記述領域として、限定受信方式記述子内のプライベートデータバイト領域の最初の１バイトが与えられている（図１５を参照）。このプライベートデータバイト領域は、パーシャルトランスポートストリーム上では、ＳＩＴのパレンタルレート記述子内に設けられる。これらのプライベートデータバイト領域における最初の１バイト以降の領域は、現在規格上で定義されおらず、自由に使用可能である。
そこで、本発明では、パーシャルトランスポートストリームのプライベートデータバイト領域内の、パレンタル値が記述される最初の１バイトの領域に続く１バイトの領域に、セルフパレンタル値を記述することを行う（図１２）。
【００８９】
なお、上記説明のように、ＳＩＴだけにパレンタルセットを記述した場合、再生時においてＳＩＴが最初に検出されるまでの間、パレンタル規制された番組内容の一部が視聴されてしまう恐れがある。そこで、この恐れを防止するために、ＳＩＴと共に又はＳＩＴに代えて、ＳＩＴと同様にパレンタルレート記述子を持つパーシャルトランスポートストリームのＰＭＴに、パレンタルセットを記述してもよい。ＰＭＴは、パーシャルトランスポートストリームにおいて、ＳＩＴと比較して高い頻度で記録される。従って、例えば、番組の途中から再生されたような場合でも、ＰＭＴに含まれるパレンタルセットを瞬時に検出することができる。
【００９０】
また、パレンタルセットを、ＳＩＴと共に、録画番組に関する一連のデータ群を管理する管理データが格納される所定のヘッダ部分に記録してもよい。これにより、番組の再生開始時からパレンタルセットを取得してパレンタル制御を行うことが可能となる。従って、パレンタルセットをヘッダ部分に記録することは、録画／再生におけるパレンタル制御の面でより効果的である。なお、パレンタルセットは、ヘッダ部分のうちの未使用の空き領域に記録すればよい。
【００９１】
ここで、番組録画再生部２５が、ＤＶＢ規格で規定された、ＩＥＥＥ１３９４等のデジタルインタフェース（デジタルＩ／Ｆ）を介してトランスポートストリームの供給を受ける方式に基づいて、番組の録画を行う場合を考える。この場合、分離部１３は、チューナ１２で復元されたトランスポートストリームを、番組録画再生部２５と分離部１３とを結ぶデジタルＩ／Ｆ（図示せず）に供給する。デジタルＩ／Ｆは、トランスポートストリームから、記録しようとする一部のストリーム、すなわちパーシャルトランスポートストリームを選択すると共に、番組情報メモリ２２からパレンタルセットを含む番組情報を取得する。そして、デジタルＩ／Ｆは、取得した番組情報をＳＩＴに記述し、このＳＩＴをパーシャルトランスポートストリームに多重して、番組録画再生部２５に供給することを行う。
【００９２】
このように、番組録画再生部２５は、所望の番組と共に、番組情報メモリ２２から読み出した番組情報を記録することで録画を行う。このため、その番組情報のパレンタルセットがパレンタル規制を示す場合には、パレンタル規制された番組として録画される。すなわち、本発明のデジタル放送受信装置は、パレンタル規制された番組を録画しない方式ではなく、その番組をパレンタルセットと一緒に録画する方式である。なお、録画／再生機能を有した機器では、録画している番組がモニタ出力端子等に出力されるのが一般的である。このため、録画を指示したユーザ以外のユーザが、録画中の番組をモニタを介して見ることができる。よって、番組録画時においても、上記第１の実施形態で説明したパレンタル制御の判断を行い（図５〜図８）、映像出力部１７及び音声出力部１８からモニタへの出力だけを許可／不許可する制御を行うことが好ましい。
そして、パレンタル規制に基づく番組の視聴制限機能は、次に説明する記録媒体に録画された番組を再生するときに発揮される。
【００９３】
次に、番組録画再生部２５によって、ユーザが希望する番組が記録媒体から再生されるときの処理について説明する。図１１は、番組再生処理の手順を示すフローチャートである。
【００９４】
ユーザは、録画した番組を再生したい場合、ユーザ入力部１９を介して制御部２０に番組再生の指示を与える。番組再生の指示を受けた制御部２０は、番組録画再生部２５に対して、再生対象番組が録画されている領域のデータ管理領域に記録された番組情報を、記録媒体から取得するように指示する。番組録画再生部２５は、指示を受けると記録媒体から番組情報を読み出して、番組情報管理部２１に通知する（ステップＳ１１０１）。番組情報管理部２１は、通知される番組情報からパレンタルセットを抽出して、パレンタル判定部２４に通知する（ステップＳ１１０２）。そして、パレンタル判定部２４及び制御部２０は、通知されるパレンタルセットと基準値とに基づいて、上記第１の実施形態で説明した判定を行って（図６〜図８）、再生対象番組の視聴制限、すなわち再生制限を行うべきか否かを判断する（ステップＳ１１０３）。
【００９５】
再生対象番組を再生すべきと判断した場合、制御部２０は、再生動作を行うよう関係各部に指示する（図６〜図８、ステップＳ５１５，Ｓ５２５，Ｓ５３０，Ｓ５３５，Ｓ５４０）。一方、再生対象番組を再生すべきでないと判断した場合、制御部２０は、番組録画再生部２５に対して再生対象番組の再生を停止するように指示する（図６〜図８、ステップＳ５１４，Ｓ５２４，Ｓ５２９，Ｓ５３４，Ｓ５３９）。これにより、パレンタルセットに基づくパレンタル制御が実現される。
【００９６】
上記のように、デジタルＩ／Ｆを介してトランスポートストリームの供給を受ける形態において、番組の再生を行う場合を考える。この場合、制御部２０から番組の再生処理開始を指示された番組録画再生部２５は、再生対象番組のパーシャルトランスポートストリームを、デジタルＩ／Ｆを介して分離部１３に供給する。また、番組録画再生部２５は、番組情報をデジタルＩ／Ｆを介して番組情報管理部２１に供給する。番組情報管理部２１に供給された番組情報は、パレンタル判定に用いられる。分離部１３に供給されたパーシャルトランスポートストリームは、パレンタル判定の結果に応じて、分離部１３、映像デコーダ１４、音声デコーダ１５、合成部１６、映像出力部１７及び音声出力部１８においてそれぞれ処理され、モニタやスピーカ等へ出力される。
【００９７】
以上のように、本発明の第２の実施形態に係るデジタル放送受信装置によれば、番組録画再生部２５は、番組情報メモリ２２に記憶されているパレンタルセットを含む番組情報を、番組と共に記録媒体に記録する。このため、番組録画再生部２５によって録画された番組を再生する場合、その番組のパレンタルセットを取得して番組を録画したユーザの意思を反映させたパレンタル制御を、確実かつ容易に行うことができる。
また、従来の技術では、記録媒体に録画した番組を再生する際のパレンタル値に基づくパレンタル制御は、その番組を記録媒体に録画した装置だけしか行えなかった。しかし、本発明では、記録媒体のそれぞれに録画番組のセルフパレンタル値を含むパレンタル情報を記録しているので、どの装置においてもセルフパレンタル値に基づくパレンタル制御を行えるという互換性も実現できる。
【００９８】
なお、上記第２の実施形態では、デジタル放送受信装置の番組録画再生部２５によって、保存を目的としたビデオカセット等への記録が行われる場合を説明した。しかし、番組録画再生部２５を一時的な番組の録画を行う目的で用いてもよい。この場合には、デジタル入出力端子を設け、番組録画再生部２５と外部のデジタル録画再生装置（デジタルビデオカセットレコーダ等）とを接続して、番組録画再生部に録画した番組（ＳＩＴを含むパーシャルトランスポートストリームの形式）を、外部のデジタル録画再生装置に転送すればよい。
【００９９】
（第３の実施形態）
上記第２の実施形態では、番組と共にそのパレンタルセットを記録媒体に記録することによって、その記録を行っていない装置でその記録媒体から番組を再生するときであっても、視聴制限を実行できるデジタル放送受信装置を説明した。次に、第３の実施形態では、この記録媒体に記録されたパレンタルセットを用いて、利便性の高い番組検索や番組編集等を実現する手法を説明する。
【０１００】
以下、第３の実施形態に係るデジタル放送受信装置が実現する有用な処理を、機能別に説明する。図１３は、番組検索処理の手順を示すフローチャートである。図１４は、番組編集処理の手順を示すフローチャートである。
【０１０１】
１．番組の検索
図１３を参照して、ユーザは、記録媒体に録画した番組を確認したい場合、ユーザ入力部１９を介して制御部２０に番組検索の指示を与える。このとき、ユーザは、どのような内容の番組を検索したいかを示す検索条件を指定する。この検索条件は、パレンタルセットに対応する年齢値や年齢値の範囲等である。例えば、１８歳以上向きの大人番組を検索する場合には、検索条件「１８〜∞」が、３歳〜１５歳向きの子供番組を検索する場合には、検索条件「３〜１５」が指定される。番組検索の指示を受けた制御部２０は、番組録画再生部２５に対して、全ての番組についてデータ管理領域に記録された番組情報を、記録媒体から取得するように指示する。また、制御部２０は、検索条件をパレンタル判定部２４に通知する。番組録画再生部２５は、指示を受けると記録媒体から全番組の番組情報を読み出して、番組情報管理部２１に通知する（ステップＳ１３０１）。番組情報管理部２１は、通知される各番組情報に含まれるセルフパレンタル値を抽出して、パレンタル判定部２４に通知する（ステップＳ１３０２）。
【０１０２】
パレンタル判定部２４は、通知される検索条件と各番組のセルフパレンタル値とに基づいて、検索条件を満足するセルフパレンタル値を持つ番組を検索する（ステップＳ１３０３）。検索された番組の情報は、制御部２０に通知される。制御部２０は、番組情報管理部２１、番組情報メモリ２２、番組表作成部２３、合成部１６、及び映像出力部１７に指示して、パレンタル判定部２４で検索された番組の番組情報をモニタ等を介してユーザに提示することを行う（ステップＳ１３０４）。番組情報の提示は、番組一覧表等の形式で行えばよい。このように、セルフパレンタル値を利用して、年齢値に基づいた番組検索を容易に行うことが可能となる。
そして、ユーザは、モニタ表示されている番組情報を参照した上でその中から再生したい番組を選択し、ユーザ入力部１９に再生指示を行うだけでよい。
【０１０３】
なお、検索指示と再生指示とが同時に行われる等の場合には、検索条件を満足する番組の番組情報をモニタ等に表示させることなく、自動的にそれらの番組を連続再生させるようにしてもよい。すなわち、検索条件を満足しない番組をスキップさせて再生させる。また、セルフパレンタル値の判断では検索対象にならない番組であっても、予め設定しているパスワードの入力によって検索対象とすることもできる。さらに、このパスワードの入力によって検索対象になっても、番組毎に検索の許可／不許可を制限する新たなパスワードを設定しておけば、番組検索を二重に規制することも可能である。
【０１０４】
２．番組の編集
図１４を参照して、ユーザは、記録媒体に録画した番組を編集したい場合、ユーザ入力部１９を介して制御部２０に番組編集の指示を与える。このとき、ユーザは、どのような内容の番組を編集対象にして、どのような編集行為かを示す編集条件を指定する。この編集条件のうち、編集対象はパレンタルセットに対応する年齢値や年齢値の範囲等であり、編集行為は他の記録媒体へのコピーや番組消去等である。例えば、２０歳以上向きの大人番組を消去する場合には、編集条件「２０〜∞、消去」が、３歳〜１５歳向きの子供番組を他の記録媒体にまとめたい場合には、編集条件「３〜１５、コピー」が指定される。番組編集の指示を受けた制御部２０は、番組録画再生部２５に対して、全ての番組についてデータ管理領域に記録された番組情報を、記録媒体から取得するように指示する。また、制御部２０は、編集条件のうち編集対象をパレンタル判定部２４に通知する。番組録画再生部２５は、指示を受けると記録媒体から全番組の番組情報を読み出して、番組情報管理部２１に通知する（ステップＳ１４０１）。番組情報管理部２１は、通知される各番組情報に含まれるセルフパレンタル値を抽出して、パレンタル判定部２４に通知する（ステップＳ１４０２）。
【０１０５】
パレンタル判定部２４は、通知される編集対象と各番組のセルフパレンタル値とに基づいて、編集対象を満足するセルフパレンタル値を持つ番組を検索する（ステップＳ１４０３）。検索された番組の情報は、制御部２０に通知される。制御部２０は、検索された番組に対して編集条件の編集行為を実行するように番組録画再生部２５に指示する。番組録画再生部２５は、制御部２０からの指示に従って、該当する番組の消去や外部装置への出力を行う（ステップＳ１４０４）。このように、セルフパレンタル値を利用して、年齢値に基づいたビデオカセットの編集（例えば、子供向き番組だけを集めたビデオカセットを作成する）等を、容易に行うことが可能となる。
【０１０６】
なお、セルフパレンタル値の判断では編集対象にならない番組であっても、予め設定しているパスワードの入力によって編集対象とすることもできる。さらに、このパスワードの入力によって編集対象になっても、番組毎に編集の許可／不許可を制限する新たなパスワードを設定しておけば、番組編集を二重に規制することも可能である。
【０１０７】
３．その他
上述した番組検索や番組編集は、パレンタル情報及びセルフパレンタル情報とこれらの情報以外の番組情報、例えばジャンル情報（番組内容、対象性別等）とを、組み合わせて行うことも可能である。このジャンル情報は、放送局側で番組情報内に設定されたものではなく、ユーザが好みに合わせて独自に設定するものである。
このジャンル情報の定義及び記述先は、ユーザ自身が任意に定めることができる。パーシャルトランスポートストリームでは、プライベートデータバイト領域においてパレンタル値の記述領域として与えられている最初の１バイトのうち、未使用ビット、すなわちデータ「０ｘ１２」〜「０ｘＦＦ」を記述先として使用することができる（図１２を参照）。なお、プライベートデータバイト領域においてセルフパレンタル値の記述領域として使用する１バイトのうち、未使用ビットを使用してもよい。
【０１０８】
各データに対するジャンル情報の定義付けの一例としては、以下のようなものが考えられる。なお、＊は「０」〜「Ｆ」のいずれかになる。
＜パレンタル値記述領域のデータ＞　　　　　＜ジャンル＞
「０ｘ２＊」又は「０ｘ３＊」　　→　　スポーツ（野球）
「０ｘ４＊」又は「０ｘ５＊」　　→　　スポーツ（サッカー）
「０ｘ６＊」又は「０ｘ７＊」　　→　　スポーツ（その他）
「０ｘ８＊」又は「０ｘ９＊」　　→　　アニメ（男の子向け）
「０ｘＡ＊」又は「０ｘＢ＊」　　→　　アニメ（女の子向け）
「０ｘＣ＊」又は「０ｘＤ＊」　　→　　ドラマ
「０ｘＥ＊」又は「０ｘＦ＊」　　→　　音楽
このような定義付けにより、ユーザは、簡単な入力操作だけで希望するジャンルを設定することが可能となる。よって、従来のようにジャンル名等の複数文字で構成されるキーワードを入力する操作を省くことができる。
【０１０９】
典型的には、各番組のセルフパレンタル値を設定するときに、ジャンル情報も一緒に設定される。設定されたジャンル情報は、番組情報メモリ２２に格納され、番組を録画する際には、記録媒体の所定の記述領域にも記録される。
記録媒体に録画した番組を確認したい場合や編集したい場合、ユーザは、ユーザ入力部１９を介して制御部２０に番組検索又は番組編集の指示を与えると共に、定義付けたジャンル情報に従った検索条件又は編集条件を指定する。なお、番組を録画した記録媒体を複数の装置で再生したい場合には、ジャンル情報と共に定義付け内容を示す情報（情報テーブル等）を、記録媒体に記録しておく。このようにすれば、他のユーザもジャンル情報の定義付けを行ったユーザと同様の番組検索又は番組編集を実行することができる。
【０１１０】
以上のように、本発明の第３の実施形態に係るデジタル放送受信装置によれば、ユーザは、記録媒体に記録されたパレンタルセットを利用して、視聴制限を遵守した番組検索及び番組編集を行うことが可能となる。また、パレンタルセットに加えて独自のジャンル情報を利用するので、高精度かつ利便性の高い番組検索及び番組編集を実現することができる。
なお、上記第３の実施形態で説明した番組検索処理は、番組録画再生部２５の記録媒体に録画された番組を対象としているが、番組情報メモリ２２に記憶された番組を対象とすることももちろん可能である。
【０１１１】
上記第１〜第３の実施形態では、パレンタル情報及びセルフパレンタル情報として年齢に対応した値をそのまま用いた場合を説明したが、ユーザが予め定義した演算式やユニーク値としてもよい。例えば、演算式の場合、セルフパレンタル値＝パレンタル値＋（ユーザ年齢×α）等である。ユニーク値の場合、値「１」は０歳〜５歳向けの番組、値「２」は６歳〜１０歳向けの番組等である。また、パレンタル値とセルフパレンタル値とを１つの値で表現し、値「１」はセルフパレンタル値＝１８かつパレンタル値＝０の組み合わせ、値「２」はセルフパレンタル値＝２０かつパレンタル値＝１８の組み合わせ等である。このようなユニーク値を用いる場合、各値がどのようなパレンタル値及びセルフパレンタル値に対応しているかを示すテーブルを、番組情報と関連付けて記録しておけばよい。
【０１１２】
また、上記第１〜第３の実施形態では、本発明のデジタル放送受信装置を、デジタル放送信号を制御対象とする装置として説明した。しかし、本発明のデジタル放送受信装置は、デジタル放送信号に加えて、パレンタル規制の機能を持たないアナログ放送信号も制御対象とする装置にもなり得る。このような双方の信号を制御対象とする装置は、上述したデジタル放送受信装置の構成に、アナログ放送電波を受信するアナログチューナ、アナログ放送電波をアナログ信号に復調する復調器、及びアナログ信号をデジタル信号（トランスポートストリーム）に変換するエンコーダをさらに備えることで容易に実現できる。
【図面の簡単な説明】
【図１】本発明の第１の実施形態に係るデジタル放送受信装置の構成を示すブロック図である。
【図２】番組情報メモリに記憶される番組情報の一例を示す図である。
【図３】番組情報メモリに記憶される番組情報の具体的な一例を示す図である。
【図４】本発明の第１の実施形態に基づいたセルフパレンタル値の設定／変更処理の手順を示すフローチャートである。
【図５】本発明の第１の実施形態に基づいた番組視聴処理の手順を示すフローチャートである。
【図６】図５のステップＳ５０７で行われる番組視聴制限を判断する手順を示すフローチャートである。
【図７】図５のステップＳ５０７で行われる番組視聴制限を判断する他の手順を示すフローチャートである。
【図８】図５のステップＳ５０７で行われる番組視聴制限を判断する他の手順を示すフローチャートである。
【図９】本発明の第２の実施形態に係るデジタル放送受信装置の構成を示すブロック図である。
【図１０】本発明の第２の実施形態に基づいた番組録画処理の手順を示すフローチャートである。
【図１１】本発明の第２の実施形態に基づいた番組再生処理の手順を示すフローチャートである。
【図１２】パーシャルトランスポートストリームのパレンタルセットが記述される領域を説明する図である。
【図１３】本発明の第３の実施形態に基づいた番組検索処理の手順を示すフローチャートである。
【図１４】本発明の第３の実施形態に基づいた番組編集処理の手順を示すフローチャートである。
【図１５】トランスポートストリームのデータ構造を説明する概略図である。
【図１６】従来のデジタル放送受信装置の構成を示すブロック図である。
【符号の説明】
１１，１１１…アンテナ
１２，１１２…チューナ
１３，１１３…分離部
１４，１１４…映像デコーダ
１５，１１５…音声デコーダ
１６，１１６…合成部
１７，１１７…映像出力部
１８，１１８…音声出力部
１９，１１９…ユーザ入力部
２０，１２０…制御部
２１，１２１…番組情報管理部
２２，１２２…番組情報メモリ
２３，１２３…番組表作成部
２４…パレンタル判定部
２５，１２５…番組録画再生部
１２４…表示番組判定部
１２６…条件情報メモリ
【図１】
2004007514.tif 000003
【図２】
2004007514.tif 000004
【図３】
2004007514.tif 000005
【図４】
2004007514.tif 000006
【図５】
2004007514.tif 000007
【図６】
2004007514.tif 000008
【図７】
2004007514.tif 000009
【図８】
2004007514.tif 000010
【図９】
2004007514.tif 000011
【図１０】
2004007514.tif 000012
【図１１】
2004007514.tif 000013
【図１２】
2004007514.tif 000014
【図１３】
2004007514.tif 000015
【図１４】
2004007514.tif 000016
【図１５】
2004007514.tif 000017
【図１６】
2004007514.tif 000018